(57)【要約】【課題】本発明は、複数のケーブルを並列に、熱を利用して連結し、人力のみでケーブルを分離できるようにした熱接着方式並列型マルチユニットケーブルを提供することを目的とするものである。【解決手段】本発明は、上記の課題を解決するために、二対又は四対以上のツイストペア又は１本以上の光ファイバコードをシースで被覆したケーブルを複数本並列に配置し、前記シースを熱接着して水平に繋いだことを特徴とする熱接着方式並列型マルチユニットケーブルの構成とした。【選択図】図１
2008181848.tif 000002
【特許請求の範囲】
【請求項１】
二対又は四対以上のツイストペアをシースで被覆したケーブルを複数本並列に配置し、前記シースを熱接着して水平に繋いだことを特徴とする熱接着方式並列型マルチユニットケーブル。
【請求項２】
二対又は四対以上のツイストペアを一本以上の光ファイバコードに代えたことを特徴とする請求項１に記載の熱接着方式並列型マルチユニットケーブル。
【請求項３】
熱接着を間欠的に遮断することによりスリットを設けたことを特徴とする請求項１又は請求項２に記載の熱接着方式並列型マルチユニットケーブル。
【請求項４】
二対又は四対以上のツイストペアをシースで被覆したケーブルを極薄の微小ブリッジにより複数本水平に繋いで並列に配置したことを特徴とする並列型マルチユニットケーブル。
【請求項５】
二対又は四対以上のツイストペアを一本以上の光ファイバコードに代えたことを特徴とする請求項４に記載の並列型マルチユニットケーブル。
【発明の詳細な説明】
【技術分野】
【０００１】
本発明は、複数のケーブルを並列に、熱を利用して連結し、人力のみでケーブルを分離できるようにした熱接着方式並列型マルチユニットケーブルに関するものである。
【背景技術】
【０００２】
ＬＡＮ（ローカルエリアネットワーク）などの情報通信ネットワークにおいては、二対又は四対のケーブル一本を最小単位としデータを伝送する方式が多いが、通信を中継するために用いるパッチパネルやハブなどの機材には、通常モジュラジャックが四ポート又は六ポート単位で複数配置されている。
【０００３】
パッチパネルなどのモジュラジャックは、表側にはケーブルに取り付けたモジュラプラグを挿入し、裏側にはケーブルを直接接続するようになっており、複数ポートであれば複数のモジュラジャックが近接して配置される。
【０００４】
そのため、ケーブルを一本ずつ接続するのではなく、複数のケーブルを束ねた上に一括シースを施したマルチユニットケーブルを使用するなど、ケーブルをすっきり纏める工夫がなされている。
【０００５】
図６は、従来のマルチユニットケーブルの正面断面図である。図７は、従来の並列型マルチユニットケーブルの正面断面図である。
【０００６】
図６に示すように、マルチユニットケーブル４は、介在５ｂの周りに、導体６ｄを絶縁体６ｅで被覆した線心６ｃを二本撚り合わせたツイストペア６ｂを四対まとめてシース６ａで被覆したケーブル６を六本配置し、押さえ巻きテープ５ａで押さえた上で一括シース５で被覆したものである。
【０００７】
尚、シース６ａ上には、各ケーブル６を識別できるようにナンバリングする。更に、６本のうちの１本のシース６ａの色を他の５本のシース６ａの色と異なる色にしたり、６本全てのシース６ａの色を異ならせることで識別する場合もある。また、シース６ａに関しては、ユニット識別用カラーテープ（青、黄、緑、赤、紫、白等）で代用することもできる。
【０００８】
特許文献１に記載されているように、被覆電線を集合したものを外被で覆ったケーブルを、複数本束ねるように配置した多条ケーブルの発明も公開されている。
【特許文献１】特開平０７−２４５０２３号公報
【０００９】
また、図７に示すように、導体２ｄを絶縁体２ｅで被覆した線心２ｃを二本撚り合わせ、ツイストペア２ｂにしたものを四対まとめてシース２ａで被覆したケーブル２を、ブリッジ部５ｃにより水平に２ユニット繋いだ並列型マルチユニットケーブル４ａもある。
【発明の開示】
【発明が解決しようとする課題】
【００１０】
しかしながら、従来のマルチユニットケーブルは、外径が太くなるため、占有面積が多くなる。また、ケーブルを曲げる際に必要な最小曲げ半径を大きく取る必要がある。さらに、ケーブル重量が重く、取り扱いにくい。
【００１１】
尚、複数の二対又は四対ケーブルが同一箇所に配線されていると、入り乱れて見栄えが悪くなり、更にケーブルを特定するのも困難となる。これは、ケーブルの付け間違いなどの原因にもなり、問題発生時の解決の遅延も招く。
【００１２】
また、ブリッジ付き並列型マルチユニットケーブルについては、厚いブリッジでケーブルと一体化しているため、切断工具でブリッジ部に切り込みを入れないとケーブルを人力で分離できないし、ブリッジ部の部分により横方向の長さや重量も増えてしまう。
【００１３】
そこで、本発明は、複数のケーブルを並列に、熱を利用して連結し、人力のみでケーブルを分離できるようにした熱接着方式並列型マルチユニットケーブルを提供することを目的とするものである。
【課題を解決するための手段】
【００１４】
本発明は、上記の課題を解決するために、二対又は四対以上のツイストペア２ｂ又は一本以上の光ファイバコードをシース２ａで被覆したケーブル２を複数本並列に配置し、前記シース２ａを熱接着して水平に繋いだことを特徴とする熱接着方式並列型マルチユニットケーブル１の構成とした。
【発明の効果】
【００１５】
本発明は、以上の構成であるから以下の効果が得られる。第１に、複数のケーブルが水平に連結しており、ケーブル間に隙間が少なく、無駄なスペースが減るので、ケーブルを多く配置することが可能となり、配線の高密度実装化の実現に繋がる。
【００１６】
複数のケーブルを水平に連結するので、全体の高さがケーブル一本分の高さであるため、狭い空間でも敷設することができる。壁などに両面テープ等で貼り付けておけば、見映えも良くなる。
【００１７】
第２に、複数のケーブルをまとめて扱うことができるので、敷設作業の手間が軽減し、作業時間も短縮される。各ケーブルは分離しやすく、また、ケーブルが入り乱れていないので、ケーブルを特定しやすいので、非常に効率的である。
【００１８】
複数のケーブルを一括シースで束ねている訳ではないので、ケーブルを分離する際に一括シースを裂く必要もなく、工具を使わず人力のみでケーブルを分離させることができるため、容易にモジュラプラグの取付けなどの加工ができる。
【発明を実施するための最良の形態】
【００１９】
本発明は、複数のケーブルを並列に、熱を利用して連結し、人力のみでケーブルを分離できるようにするという目的を、二対又は四対以上のツイストペア又は一本以上の光ファイバコードをシースで被覆したケーブルを複数本並列に配置し、前記シースを熱接着して水平に繋いだ熱接着方式並列型マルチユニットケーブルにより実現した。
【実施例１】
【００２０】
以下に、添付図面に基づいて、本発明である熱接着方式並列型マルチユニットケーブルについて詳細に説明する。
【００２１】
熱接着方式並列型マルチユニットケーブル１は、二対又は四対以上のツイストペア２ｂ又は一本以上の光ファイバコードをシース２ａで被覆したケーブル２を複数本並列に配置し、前記シース２ａを熱接着３して水平に繋いだことを特徴とする。
【００２２】
図１は、本発明である熱接着方式並列型マルチユニットケーブルの斜視図である。図２は、本発明である熱接着方式並列型マルチユニットケーブルの正面断面図である。
【００２３】
尚、図１及び図２に示す熱接着方式並列型マルチユニットケーブル１の例は、四本のケーブル２を熱接着３により水平に連結したものである。
【００２４】
ケーブル２は、四対のツイストペア２ｂをシース２ａで被覆したものであり、これを一ユニットとする。一ユニット当たり四対のケーブル２であるが、複数ユニットまとめることで効率的な使い方ができる。
【００２５】
シース２ａは、コンパウンドを管状に成形したものであり、内部にツイストペア２ｂが通る。尚、コンパウンドとは、プラスチックのベース樹脂に強化材、充填材、添加剤又は配合剤を配合した熱可塑性合成樹脂である。
【００２６】
四対のツイストペア２ｂは、被覆の色を青、橙、緑、茶などの四色で区別しており、さらに、ツイストペア２ｂの線心２ｃのうち、一方は四色のいずれかで着色し、他方は白地に同色のラインを引くことで区別している。
【００２７】
ツイストペア２ｂは、二本の線心２ｃを螺旋状に撚り合わせたものである。図２に示すように、点線の範囲で捻れるように存在する。線心２ｃは、銅線などの導体２ｄをポリエチレン等の絶縁体２ｅで被覆した電線である。
【００２８】
熱接着３は、成形したシース２ａが冷え固まる前のまだ粘着性を有しているうちに、ケーブル２同士を接触させて連結する。ブリッジ部５ｃを成形する訳ではないので、剥がすのも容易である。
【００２９】
尚、二本のケーブル２を水平に連結することは比較的容易であるが、四本のケーブル２を一直線上に歪みなく水平に連結することは困難であり、それを実現したのが本発明の特徴である。
【００３０】
また、二対又は四対以上のツイストペア２ｂをシース２ａで被覆するのは、一対の場合より外径が太くなり、シース厚も厚くなるので、コンパウンドが冷えるのに時間が掛かり、熱接着にも時間が掛かる。
【００３１】
１本のケーブルの場合は、シースする際に必要な治具である心金と口金のみで済むが、２本以上の場合は、前記治具のほかに専用設備を設ける必要があり、それにより実現したことは、従来よりも飛躍的な進歩があると言える。
【００３２】
図３は、本発明である熱接着方式並列型マルチユニットケーブルのケーブルを引き剥がした状態を示す斜視図である。
【００３３】
熱接着方式並列型マルチユニットケーブル１は、熱接着３を手などで剥がすことにより、各ケーブル２を分離させて、モジュラプラグを取り付けるなどの加工をすることができる。
【００３４】
従来のブリッジ部５ｃにより連結した場合は、工具などで切り込みを入れるなどの切っ掛けがなければ手で引き裂くことは困難であり、引き裂いた際にブリッジ部５ｃがケーブル２の片方に残り、モジュラプラグ付けの障害になったり、見映えが悪くなったり、場合によってはシース２ａまで破れてしまうこともある。
【００３５】
本発明では、ケーブル２同士を熱接着３により連結しているので、工具を使用するまでもなく、人力のみで分離させることが可能であり、シース２ａを傷付けるようなこともない。
【実施例２】
【００３６】
熱接着方式並列型マルチユニットケーブル１は、ツイストペアケーブルだけでなく、光ファイバコード・ケーブルなど他のケーブルにも適用できる。
【００３７】
尚、光ファイバコード・ケーブルは、複数本の光ファイバコードをまとめてシース２ａで被覆したものであり、光ファイバコードは、一本の光ファイバを絶縁体２ｅで被覆したものである。
【実施例３】
【００３８】
図４は、本発明である熱接着方式並列型マルチユニットケーブルの平面図である。熱接着方式並列型マルチユニットケーブル１の熱接着３には、間欠的にスリット３ａを入れることもできる。
【００３９】
スリット３ａを設けることで、ケーブル２を横方向に曲げやすくなる。また、分離の際に引き裂く箇所が少なくなり、引き裂き量の調整も容易となる。さらに、途中のみを引き裂くことも可能となる。
【実施例４】
【００４０】
図５は、本発明である熱接着方式並列型マルチユニットケーブルのユニットを増やした場合の正面断面図である。
【００４１】
図５に示す熱接着方式並列型マルチユニットケーブル１ａの例は、ケーブル２の本数を六本にしたものである。六本のケーブル２を水平に連結することは、図７に示すブリッジ付きのものではさらに困難であるが、本発明であれば容易に実現できる。
【００４２】
同じ６ユニットのケーブルでも、従来のマルチユニットケーブルに比べて、高品質かつ安価に製造でき、省スペース化を図ることができる。また、一括シース５もないので、手軽に敷設することができる。
【００４３】
ケーブル２を後から接着剤等で貼り付けている訳ではないので、ケーブル２同士の連結が安定しており、かつ、ケーブル２を引き剥がしやすいので、モジュラプラグの取付けも容易である。
【００４４】
熱接着方式並列型マルチユニットケーブル１ａは、ユニットの数をさらに多くに拡張することが可能である。また、水平に連結したものを二段重ねにするなど様々な応用も考えられる。
【００４５】
以上のように、本発明である熱接着方式並列型マルチユニットケーブルは、複数のケーブルが水平に連結しており、ケーブル間に隙間が少なく、無駄なスペースが減るので、ケーブルを多く配置することが可能となり、配線の高密度実装化の実現に繋がる。
【００４６】
複数のケーブルを水平に連結するので、全体の高さがケーブル一本分の高さであるため、狭い空間でも敷設することができる。壁などに両面テープ等で貼り付けておけば、見映えも良くなる。
【００４７】
複数のケーブルをまとめて扱うことができるので、敷設作業の手間が軽減し、作業時間も短縮される。各ケーブルは分離しやすく、また、ケーブルが入り乱れていないので、ケーブルを特定しやすいので、非常に効率的である。
【００４８】
複数のケーブルを一括シースで束ねている訳ではないので、ケーブルを分離する際に一括シースを裂く必要もなく、工具を使わず人力のみでケーブルを分離させることができるため、容易にモジュラプラグの取付けなどの加工ができる。
【実施例５】
【００４９】
以下に、添付図面に基づいて、本発明である並列型マルチユニットケーブルについて詳細に説明する。
【００５０】
従来の並列型マルチユニットケーブル４ａは、ブリッジ部５ｃでケーブル２を連結しており、工具等でブリッジ部５ｃに切り込みを入れないと、手で引き裂くことが困難であったため、熱接着方式並列型マルチユニットケーブル１により解決した。
【００５１】
しかしながら、熱接着方式並列型マルチユニットケーブル１は、ケーブル間に隙間がないので、敷設場所によっては丸めて配置したい場合でも、ケーブル自体が水平に接着されているため丸めづらいし、コーナー部において曲げたい場合でも、水平に配置していると非常に曲げづらかった。
【００５２】
尚、熱接着方式並列型マルチユニットケーブル１は、各ケーブルを成形時の熱により接着しているため、剥がしやすい反面、剥がれやすくなってしまい、湾曲により余計な力が加わると意図しない裂け目が生じてしまう可能性もある。
【００５３】
そこで、並列型マルチユニットケーブル７は、二対又は四対以上のツイストペアをシース８で被覆したケーブルを微小ブリッジ９により複数本水平に繋いで並列に配置する。尚、ツイストペアを光ファイバコードに代えても良い。
【００５４】
図８は、本発明である並列型マルチユニットケーブルの正面断面図である。図９は、本発明である並列型マルチユニットケーブルのユニットを６個にした場合の正面断面図である。
【００５５】
従来の並列型マルチユニットケーブル４ａのブリッジ部５ｃは、厚さが約０．７〜１．０ミリメートルであり、簡単に引き裂くことができなかったが、並列型マルチユニットケーブル７の微小ブリッジ９は、厚さが約０．１〜０．３ミリメートルであり、切断工具で切り込みを入れなくても容易に引き裂くことができる。
【００５６】
微小ブリッジ９の厚さは約０．２５ミリメートルが好ましい。微小ブリッジ９が非常に薄いので、引き裂いた際にシース８を傷めてしまう可能性も低く、また、シース８に引き裂いた跡もあまり残らない。
【００５７】
図１０は、本発明である並列型マルチユニットケーブルを丸めた状態の正面断面図である。
【００５８】
並列型マルチユニットケーブル７は、ケーブル間を微小ブリッジ９で繋ぐため、熱接着方式並列型マルチユニットケーブル１に比べ、間隔が若干広くなり、水平に連結したケーブルを丸めることが容易となる。
【００５９】
尚、丸めた状態であれば、コーナー部においても湾曲させるのが容易となる。水平に連結した状態のままでは、曲げた際に内側と外側とで伸縮される力の差が大きいため、ケーブルへの負担も大きくなるが、丸めることで湾曲時の負担が大幅に軽減される。
【００６０】
引裂時に跡を残さないためには微小ブリッジ９の幅はできるだけ短い方が良いが、丸めるための長さも必要となる。尚、微小ブリッジ９の幅が若干長くなっても引裂きの容易さは変わらないが、全体の幅が長くなり過ぎないようにする。
【００６１】
図１１は、本発明である並列型マルチユニットケーブルをコーナー部に配置した図である。並列型マルチユニットケーブル７を壁際に垂直に這わせた場合は、コーナー部においても、そのまま角に沿って湾曲させれば容易に敷設することができる
【００６２】
また、並列型マルチユニットケーブル７を壁際に水平に這わせた場合でも、コーナー部においてケーブルを捻って垂直にすることにより、敷設することができる。ただし、並列させたケーブルの数が多ければ多いほど、ケーブルの高さ分のスペースが必要となる。
【００６３】
並列型マルチユニットケーブル７を二つ折りして曲げれば、高さは半分となり、高さがない場所や狭い場所などスペースが制限されるような場所においても、並列数の多いケーブルを敷設することができる。
【００６４】
尚、二つ折りにした場合、向かい合うケーブル間で発生する漏話抑制対策として、隣接するケーブルの対撚り・集合ピッチを異ならせておけば良い。
【００６５】
以上のように、本発明である並列型マルチユニットケーブルは、微小ブリッジが非常に薄いので、工具を用いずに手で引き裂いてケーブル同士を分離させることができる。尚、ブリッジが微小なため引裂時のケーブルへの影響もほとんどない。
【００６６】
また、微小ブリッジによりケーブル間に間隔が生じるため、複数のケーブルを連結した場合でも丸めて敷設することができ、コーナー部においても湾曲させやすい。尚、丸めたり湾曲させることで微小ブリッジに裂け目ができることもない。
【００６７】
敷設場所に応じて、ケーブルをフラットにしたり二つ折りにしたりすれば、最小限のスペースでケーブルを配置することができ、空いたスペースを有効に使うことができるようになる。
【図面の簡単な説明】
【００６８】
【図１】本発明である熱接着方式並列型マルチユニットケーブルの斜視図である。
【図２】本発明である熱接着方式並列型マルチユニットケーブルの正面断面図である。
【図３】本発明である熱接着方式並列型マルチユニットケーブルのケーブルを引き剥がした状態を示す斜視図である。
【図４】本発明である熱接着方式並列型マルチユニットケーブルの平面図である。
【図５】本発明である熱接着方式並列型マルチユニットケーブルのユニットを増やした場合の正面断面図である。
【図６】従来のマルチユニットケーブルの正面断面図である。
【図７】従来の並列型マルチユニットケーブルの正面断面図である。
【図８】本発明である並列型マルチユニットケーブルの正面断面図である。
【図９】本発明である並列型マルチユニットケーブルのユニットを６個にした場合の正面断面図である。
【図１０】本発明である並列型マルチユニットケーブルを丸めた状態の正面断面図である。
【図１１】本発明である並列型マルチユニットケーブルを丸めた状態で湾曲させた図である。
【符号の説明】
【００６９】
１        熱接着方式並列型マルチユニットケーブル
１ａ      熱接着方式並列型マルチユニットケーブル
２        ケーブル
２ａ      シース
２ｂ      ツイストペア
２ｃ      線心
２ｄ      導体
２ｅ      絶縁体
３        熱接着
３ａ      スリット
４        マルチユニットケーブル
４ａ      並列型マルチユニットケーブル
５        一括シース
５ａ      押さえ巻きテープ
５ｂ      介在
５ｃ      ブリッジ部
６        ケーブル
６ａ      シース
６ｂ      ツイストペア
６ｃ      線心
６ｄ      導体
６ｅ      絶縁体
７        並列型マルチユニットケーブル
８        シース
９        微小ブリッジ
【図１】
2008181848.tif 000003
【図２】
2008181848.tif 000004
【図３】
2008181848.tif 000005
【図４】
2008181848.tif 000006
【図５】
2008181848.tif 000007
【図６】
2008181848.tif 000008
【図７】
2008181848.tif 000009
【図８】
2008181848.tif 000010
【図９】
2008181848.tif 000011
【図１０】
2008181848.tif 000012
【図１１】
2008181848.tif 000013